(57)【要約】      （修正有）【課題】手間を要さず短時間に釣り用具を釣り糸に装着の出来る釣り接続用具にする。【解決手段】  クッション性でなるゴム系或いは、エラストマー材や、合成樹脂材等でなる本体１のやや中央部に直線状に貫通し開口する釣り糸通し孔２を設けると共に、該釣り糸通し孔２の一側に連接するスリット３を本体１外周に向け開口し、釣り糸Ａの所定の位置を、これらのスリット３に無理に挟み込みながら、釣り糸通し孔２に貫通させて釣り糸Ａに直線上に固着するか、或いは、スリット３に対向する本体１外周にほどける事無く、巻き込み固着の出来る構成とする。又、前記する本体１のやや中央部に直線状に貫通し開口する釣り糸通し孔２を廃止し、外周からほぼ中央部に向け、直線状にスリット３のみにした構成とする。そして又、前記する本体１に開口するスリット３に重複する事無く、外周の一部に、開口する連接孔４を具備した構成にする。【選択図】図１
0003140404.tif 000002
【実用新案登録請求の範囲】
【請求項１】
クッション性でなるゴム系或いは、エラストマー材や、合成樹脂材等でなる本体１のやや中央部に直線状に貫通し開口する釣り糸通し孔２を設けると共に、該釣り糸通し孔２の一側には外周に連接するスリット３を開口し、釣り糸Ａの所定の位置を、該スリット３に無理に挟み込みながら、釣り糸通し孔２に貫通させて釣り糸Ａに直線上に固着するか、或いは、スリット３に対向する本体１外周にほどける事無く、巻き込み固着可能にした事を特徴とする、釣り糸接続具。
【請求項２】
前記する本体１のやや中央部に直線状に貫通し開口する釣り糸通し孔２を廃止し、外周からほぼ中央部に向け、直線状に切り込んだスリット３のみにした事を特徴とする請求項１記載の釣り糸接続具。
【請求項３】
前記する本体１に開口するスリット３に重複する事無く、外周の一部に、開口する連接孔４を具備した事を特徴とする、請求項１又は２項記載の釣り糸接続具。
【考案の詳細な説明】
【技術分野】
【０００１】  この考案は、魚釣の釣り竿仕掛で、釣り糸を差し込んで使う遊動ウキや中通しオモリの遊び止め用具として使うセル玉や、カミツブシや、ようじ止めゴム管、或いは、様々なビーズや固定ウキの釣り糸への接続を、細長い釣り糸に通したり、結び付けたりする従来のこれらの用具の釣り糸への装着の改良に関し、詳しくは外付けで着脱自在に釣り糸の好きな位置に装着出来るワンタッチ式の釣り糸接続具に関する。
【背景技術】
【０００２】  この種の従来の技術として知られるウキ釣りでの、遊動ウキの釣り糸への仕掛けとして知られる接続構成は、釣り糸を切断し、切り端から遊動ウキを移動自在に差し込み、釣り糸の切断部を結んで、結び目を作ったり、ゴム管（ヨウジ止め）や、セル玉を釣り糸に通して、ウキ遊び止めにしている。或いは、中通しオモリはゴム管とゴム管等の間に装備し、それぞれ釣る魚とウキの形態等に合わせ数々の遊動ウキや中通しオモリの遊び止めが、選択されている。【０００３】  そしてまた、シモリウキの類いの釣り糸への接続は釣り糸に通したシモリウキの固定は釣り糸に差し込んだシモリウキ隙間にツマヨウジをクサビ式に差し込む等で固定し、固定式ウキの装備はゴム管を釣り糸に差し込み、ゴム管にウキを固く差し込んで固定すのが一般的である。【０００４】  また、様々品種でのビーズの仕掛けは釣り糸に金属のカミツブシを釣り糸に挟み込んでツブシて固定し、ビーズの遊び止めとしての装備が行なわれ。【０００５】  また、、寄せエサを詰めたカゴを使い沖目を攻めるカゴ釣りや、反転カゴでの仕掛けは釣り糸間にサルカン（結節具）を中継し、それらにカゴが装備さされる構成である。
【考案の開示】
【考案の解決しようとする課題】
【０００６】  しかしながら上記する従来技術の場合は、ウキ釣りでの釣り糸への遊動ウキの遊び止めはセル玉もゴム管も釣り糸を小さな孔に差し込んで、あらかじめ所定の位置に配置し、数々のつり竿への仕掛用具との位置関係の中で、装備し固定しなければならないとゆう手間がかかるだけでなく、長い釣り糸に差し込んだり、これらの用具の差し直しや、取り外し時は必要以上に困難で、釣り糸が駆らんだりで、時間がかかり現場での装着は釣りのタイミングを逃し、釣り果を失ってしまう等の課題や、或いは、釣り糸を切断してのウキの遊び止めは糸の結び作り方が特殊で、不完全な結び作り方では、結び目が強烈な魚の引きや釣り上げで解けてしまい大きな損失を受ける等の課題が残る。
【０００７】  そしてまた、カゴ釣りでのサルカンの釣り糸への接続や、枝ハリスのサルカンの釣り糸への接続は、釣り糸を途中で切断して、其の間にサルカンに摸受けたリングに糸の端子を固く結ぶことで、サルカンを釣り糸に接続し、カゴや枝ハリスをこれらのサルカンに結節しなければならないとゆう、指先を器用に使っての取り付け作業を強いられる等の課題が有る。
【０００８】  このように、釣り糸への用具の接続は全て、長い釣り糸の端子を用具の小孔に通し、其の用具を釣り糸に固定する作業が必要である為、用具を釣り糸の所定の位置に、安直に着脱自在に接続の出来る釣り糸への接続具を、多くの釣り人から要望されていた。
【課題を解決するための手段】
【０００９】  上記する課題を解決する為に、本考案はクッション性でなるゴム系或いは、エラストマー材や、合成樹脂材等でなる本体１のやや中央部に直線状に貫通し開口する釣り糸通し孔２を設けると共に、該釣り糸通し孔２の一側に連接するスリット３を本体１外周に向け開口し、釣り糸Ａの所定の位置を、これらのスリット３に無理に挟み込みながら、釣り糸通し孔２に貫通させて釣り糸Ａに直線上に装着するか、或いは、スリット３に対向する本体１の外周にほどける事無く、巻き込み固着可能な構成にする。そしてまた、前記する本体１のやや中央部に直線状に貫通し開口する釣り糸通し孔２を廃止し、外周からほぼ中央部に向け、直線状にスリット３のみにした構成から成る、釣り糸接続具とする。更には、前記する本体１に開口するスリット３に重複する事無く、外周の一部に、開口する連接孔４を具備した構成での、釣り糸接続具とする。
【考案の効果】
【００１０】  本考案は上述の通り構成作用するので、次ぎの優れた効果を奏する。即ち、釣り竿への仕掛けで、釣り糸を小さな孔に差し込んだり、釣り糸を切断せづに、外付けで釣り糸に着脱自在に、ワンタッチ装着の出来る遊動ウキや、中通しオモリの遊び止め、釣り糸接続具を提供出来る。
【００１１】  また、ビーズや固定ウキやシモリウキ或いは、サルカン等の釣り糸へ装着する数々の用具を手間を要さずに、短期間に装着やメンテンナンスが出来る釣り糸接続具を提供出来る。
【考案を実施するための最良の形態】
【００１２】  以下に図示の実施例に基づいて本考案を更に詳細に説明する。即ち、図１、図２（ａ）（ｂ）、図３は本考案での第１実施例に基づく斜視図で、図１は遊動ウキや中通しオモリ等の遊び止め用に使う手数の要するゴム管、セル玉、等に変わる本考案での、釣り糸接続具の全体斜視図で、本体１は球形での実施例を示すが、円柱、楕円形、三角錘等でも良く、大小様々で、その材質面ではクッション性を主体とするゴム系或いは、エラストマー材や、合成樹脂材等でこれらの物性の硬さ、弾性率、引っ張り強さ、衝撃吸収性、色調等の選択は自由で、釣り仕掛けの適材適所に応じて決定されるものである。【００１３】  そして、前記する本体１のやや中央部に直線状に貫通して開口する釣り糸通し孔２を設けると共に、該釣り糸通し孔２の一端に連接するスリット３を本体１の外周に向け開口するが、該釣り糸通し孔２は釣り糸Ａが２本並列して、程良く貫通する太さの孔が望ましい場合と、或いは１本の釣り糸Ａがやや硬めに本体１の弾発力を受け、釣り糸通し孔２に貫通する太さの孔でも良く、そして、上記スリット３の切り込み巾は所定の釣り糸Ａが無理嵌めに本体１の弾発力を受けながら強引に、嵌め込む狭い巾にし、嵌め込まれた釣り糸Ａが釣り糸通し孔２に収容された後は、スリット３が閉成体になる形態にする等でも良い。【００１４】  次ぎに、図２、図中（ａ）図は本考案に依る、釣り糸接続具の釣り糸Ａへの装着形態での一部断面での斜視図で、遊動ウキや中通しオモリ等の釣り竿仕掛けで、釣り糸Ａの所定位置に配置した後に、これらの用具に近接して遊び止め用として、クッション性で成る本体１の外周に切り込まれた狭いスリット３に釣り糸Ａが強引に嵌め込まれることで、スリット３の溝巾は矢印方向に拡張し、釣り糸通し孔２に達して釣り糸Ａはやや硬めに釣り糸通し孔２は矢印方向に拡張し、その復元縮み力に依る保持力を釣り糸Ａは受け、双方は接続される、即ち、釣り糸接続具はワンタッチ操作で硬めに着脱自在に収納される。片方、図２、図中（ｂ）図は前記する釣り糸Ａが２本並列貫通可能な釣り糸通し孔２にする事で、スリット３に嵌め込んだ釣り糸Ａを反対側の本体１の外周に巻き込みほどける事無く、巻き込み固着を、ワンタッチ操作で釣り糸Ａに本体１を着脱自在な装備を具現化している。
図３は第１実施例での遊動ウキＢに遊び止め用としての本体１の使用斜視図である。【００１５】  次ぎに、図４は本考案に依る第２実施例での斜視図で、前記する本体１のやや中央部に直線状に貫通し開口する釣り糸通し孔２を廃止し、外周からほぼ中央部に向け、直線状にスリット３を切り込んだ釣り糸接続具としている。即ち、釣り糸Ａに貫通して接続する遊動ウキＢや中通しウキ等の前後に近接して使う遊び止め用のこの釣り糸接続具は、釣り糸Ａの所定の位置に本体１を接続装着するのに、釣り糸Ａの太さよりやや狭い、本体１のスリット３に、釣り糸Ａが強引に元まで差し込まれることで、クッション性で成る本体１のスリット３は矢印方向に拡張し、その復元力の保持力を受け、着脱自在にワンタッチ式に脱落する事無く装着出来、釣り糸Ａの前後に本体１を手間を掛けずに移動させ調整することが出来る。【００１６】  次ぎに、図５、図６は本考案に依る第３実施例での斜視図で、前記する本体１に開口するスリット３に重複する事無く、外周の一部に、開口する連結孔４を具備しての構成とするが、本実施例では図６で示すように、この連結孔４に手軽にサルカンＣを接続する事で、このサルカンＣにカゴ釣りでの寄せエサを詰めたカゴや、複数のハリでタナをそつなく攻める胴づき釣りの枝ハリス等を接続するのに利用される。或いは、この連結孔４に棒ウキやポリカンウキを固く差し込んで固定す等、様々な利用法を具現化出来るので、当該実施例に限定するものでない事は当然である。
【図面の簡単な説明】
【００１７】
【図１】  本考案に係わる第１実施例での全体を示す斜視図である。
【図２】  図中（ａ）図は第１実施例の使用例での一部断面での斜視図である。図中（ｂ）図は第１実施例の他の使用例での一部断面での斜視図である。
【図３】  本考案に係わる第１実施例の釣り用具に実装しての使用斜視図である。
【図４】  本考案に係わる第２実施例での全体を示す斜視図である。
【図５】  本考案に係わる第３実施例での全体を示す斜視図である。
【図６】  本考案に係わる第３実施例の釣り用具に実装しての使用斜視図である。
【符合の説明】
【００１８】      Ａ    釣り糸
Ｂ    遊動ウキ
Ｃ    サルカン
１    本体
２    釣り糸通し孔
３    スリット
４    連結孔
【図１】
0003140404.tif 000003
【図２】
0003140404.tif 000004
【図３】
0003140404.tif 000005
【図４】
0003140404.tif 000006
【図５】
0003140404.tif 000007
【図６】
0003140404.tif 000008